(57)【要約】      （修正有）【課題】看板と照明灯設置体とを分離可能な構造とし、照明灯に乱反射板を設けて成る省エネルギー効果を有する照明灯付看板を提供する。【解決手段】看板表面板１０ｃの上下端及び両側端で奥行方向に形成された長方形枠１０ｂを有する箱形体に水平上端部を有する上部看板曲面背面板、下部水平長方形枠に対応する箇所に形成された水平下端部を有する下部看板曲面背面板１２ｂ、該上部看板曲面背面板及び該下部看板曲面背面板との中間部に水平に形成された照明灯嵌合透明湾曲面１２ｅを有する看板曲面背面板を該箱形体の該長方形枠に一体に取付けて袋状看板１０とし、該照明灯嵌合溝に対応する箇所に照明灯４０と乱反射板４２とを設け、該照明灯設置枠体を該袋状看板と分離可能な構造とする。【選択図】  図２
2007298903.tif 000002
【特許請求の範囲】
【請求項１】
所望長さ及び高さを有する看板表面板の上下端及び両側端で奥行方向に形成された長方形枠を有する箱形体と、該長方形枠の上部水平長方形枠に対応する箇所に形成された水平上端部を有する上部看板曲面背面板と、該箱形体の下部水平長方形枠に対応する箇所に形成された水平下端部を有する下部看板曲面背面板と、該上部看板曲面背面板及び該下部看板曲面背面板との中間部に水平に形成された照明灯嵌合透照湾曲面を有する看板曲面背面板を該箱形体の該長方形枠に一体に取付けた袋状看板と、該袋状看板の長さ、高さ及び奥行を有し、該照明灯嵌合透照湾曲面に対応する箇所に照明灯と乱反射板とを設けた照明灯設置枠体を該袋状看板と分離可能な構造として成る照明灯付看板。
【請求項２】
所望長さ及び高さを有する看板表面板の上下端及び両側端で奥行方向に形成された長方形枠を有する箱形体と、該長方形枠の上部水平長方形枠に対応する箇所に形成された水平上端部を有する上部看板曲面背面板と、該箱形体の下部水平長方形枠に対応する箇所に形成された水平下端部を有する下部看板曲面背面板と、該上部看板曲面背面板及び該下部看板曲面背面板との中間部に水平に形成された照明灯嵌合透明湾曲面を有する看板曲面背面板を該箱形体の該長方形枠に一体に取付けた袋状看板と、該袋状看板の長さ、高さ及び奥行を有し、該照明灯嵌合透明湾曲面に対応する箇所に照明灯と乱反射板とを設けた照明灯設置枠体を該袋状看板と分離可能な構造として成り、該看板曲面背面板の該水平上端部両端近くにそれぞれ上部凸形レールを設けて成る請求項１記載の照明灯付看板。
【請求項３】
所望長さ及び高さを有する看板表面板の上下端及び両側端で奥行方向に形成された長方形枠を有する箱形体と、該長方形枠の上部水平長方形枠に対応する箇所に形成された水平上端部を有する上部看板曲面背面板と、該箱形体の下部水平長方形枠に対応する箇所に形成された水平下端部を有する下部看板曲面背面板と、該上部看板曲面背面板及び該下部看板曲面背面板との中間部に水平に形成された照明灯嵌合透明湾曲面を有する看板曲面背面板を該箱形体の該長方形枠に一体に取付けた袋状看板と、該袋状看板の長さ、高さ及び奥行を有し、該照明灯嵌合透明湾曲面に対応する箇所に照明灯と乱反射板とを設けた照明灯設置枠体を該袋状看板と分離可能な構造として成り、該照明灯設置枠体の両側縦枠の後部面でコ字形切込を形成し、該コ字形切込内に取付板を遊嵌して成る請求項１記載の照明灯付看板。
【発明の詳細な説明】
【技術分野】
【０００１】
この発明は、照明灯付看板に関し、更に詳しくは案内板や店舗看板等に於いて、看板と照明灯設置体とを分離可能な構造とし、照明灯に乱反射板を設けて成る省エネルギー効果を有する照明灯付看板に関するものである。
【背景技術】
【０００２】
従来の照明灯付看板は、看板全体を一体物で製作し、その取付けに長時間を要していた。また、一部の照明灯が故障し、点検の場合は、看板全体を取外す必要があり、この場合も作業に長時間を要していた。
【０００３】
加えて従来の照明灯の構造は、その照明効果が低く、外部から見た場合、均一な照明効果が得られず、宣伝効果を落としていた。
【０００４】
このため必要以上に照明灯の個数を増やし、各照明灯を大きくしなくてはならず、従って大電力を要し、経済的に不利であった。
【０００５】
公知の照明付看板は、雨水や塵埃が侵入し易い構造となっており、短時間で看板を取外して内部を点検又は清掃する必要が生じた場合不都合であった。
【０００６】
また照明灯に雨水や塵埃が付着して錆の発生や故障の原因となっていた。
【０００７】
そして照明灯設置体の照明灯取付け箇所をコ字状溝にするものも提案されているが、該コ字状溝は、直角な角を有するので、照明灯の光が影となり、反射板を介して看板の表面に効果的に導かれなかった。
【０００８】
更に公知の照明灯付看板に於いては、照明灯が看板の内部に設けられるので、発生した熱の発散が悪く、所要以上に看板を大きくしなければならず、また、照明灯の寿命を短くしていた。
【発明の開示】
【発明が解決しようとする課題】
【０００９】
【特許文献１】特開平６−３０１３４７、モジュール式照明付広告看板
【特許文献２】特開平７−２６８９７４、外袋パネルの水密構造
【特許文献３】特開平１０−３９７６５、屋内掲示板
【特許文献４】特開２０００−３２００６７、壁面パネル
【課題を解決するための手段】
【００１０】
前述の目的を達成するため、この発明の第１要旨は、所望長さ及び高さを有する看板表面板の上下端及び両側端で奥行方向に形成された長方形枠を有する箱形体と、該長方形枠の上部水平長方形枠に対応する箇所に形成された水平上端部を有する上部看板曲面背面板と、該箱形体の下部水平長方形枠に対応する箇所に形成された水平下端部を有する下部看板曲面背面板と、該上部看板曲面背面板及び該下部看板曲面背面板との中間部に水平に形成された照明灯嵌合透照湾曲面を有する看板曲面背面板を該箱形体の該長方形枠に一体に取付けた袋状看板と、該袋状看板の長さ、高さ及び奥行を有し、該照明灯嵌合透照湾曲面に対応する箇所に照明灯と乱反射板とを設けた照明灯設置枠体を該袋状看板と分離可能な構造として成る照明灯付看板である。
【００１１】
この発明の第２要旨は、所望長さ及び高さを有する看板表面板の上下端及び両側端で奥行方向に形成された長方形枠を有する箱形体と、該長方形枠の上部水平長方形枠に対応する箇所に形成された水平上端部を有する上部看板曲面背面板と、該箱形体の下部水平長方形枠に対応する箇所に形成された水平下端部を有する下部看板曲面背面板と、該上部看板曲面背面板及び該下部看板曲面背面板との中間部に水平に形成された照明灯嵌合透明湾曲面を有する看板曲面背面板を該箱形体の該長方形枠に一体に取付けた袋状看板と、該袋状看板の長さ、高さ及び奥行を有し、該照明灯嵌合透明湾曲面に対応する箇所に照明灯と乱反射板とを設けた照明灯設置枠体を該袋状看板と分離可能な構造として成り、該看板曲面背面板の該水平上端部両端近くにそれぞれ上部凸形レールを設けて成る照明灯付看板である。
【００１２】
この発明の第３要旨は、所望長さ及び高さを有する看板表面板の上下端及び両側端で奥行方向に形成された長方形枠を有する箱形体と、該長方形枠の上部水平長方形枠に対応する箇所に形成された水平上端部を有する上部看板曲面背面板と、該箱形体の下部水平長方形枠に対応する箇所に形成された水平下端部を有する下部看板曲面背面板と、該上部看板曲面背面板及び該下部看板曲面背面板との中間部に水平に形成された照明灯嵌合透明湾曲面を有する看板曲面背面板を該箱形体の該長方形枠に一体に取付けた袋状看板と、該袋状看板の長さ、高さ及び奥行を有し、該照明灯嵌合透明湾曲面に対応する箇所に照明灯と乱反射板とを設けた照明灯設置枠体を該袋状看板と分離可能な構造として成り、該照明灯設置枠体の両側縦枠の後部面でコ字形切込を形成し、該コ字形切込内に取付板を遊嵌して成る照明灯付看板である。
【発明の効果】
【００１３】
（１）この発明に係る照明灯付看板によれば、袋状看板と照明灯設置枠体とを分離可能な構造としたので、該照明灯設置枠体の所望躯体への取付けを容易とする照明灯看板が得られる。
【００１４】
（２）この発明に係る照明灯看板によれば、袋状看板と照明灯設置枠体とを分離可能な構造としたので、該照明灯設置枠体の故障、点検、修理、清掃等のメインテナンスの際に、その時間を大幅に短縮可能となる。
【００１５】
（３）この発明に係る照明灯看板によれば、照明灯に乱反射板を設けて照明効果を上げ、外部から見た際均一な照明効果を得て宣伝効果を上げ、照明灯の個数や大きさを必要最低限とし、省エネルギー効果を有する照明灯付看板が得られる。
【００１６】
（４）この発明に係る照明灯看板によれば、照明灯と照明灯設置枠体とを分離して設けるので内部に熱が篭らず発散性が格段に改善され、且つ該照明灯の電力が公知の照明灯看板と比較して５０〜８０％となる省エネルギー効果が得られる。
【００１７】
（５）しかもこの発明に係る照明灯看板と照明灯設置枠体との費用を１００とした場合、アクリル樹脂製照明灯付看板１０とアクリル樹脂製枠形照明灯設置枠体３０とのアクリル樹脂の価格は、凡そ３５％、袋状看板の製作、該照明灯設置枠体３０への蛍光灯や金具の製作費、１５％、躯体へのレールの取付料等は、大工等手間が１５％であり、合計７０％で約２５％の節約となる。
【００１８】
（６）更にこの構成は、雨水、塵埃等の侵入を防止する構造なので、看板の清掃の回数を必要最低限に減少させ、また、雨水、塵埃等の侵入による錆の発生や故障を防止する。
【００１９】
（７）そして発生した熱の発散効果を上げ、必要以上に看板を大きくせず、長い照明寿命を有する照明灯看板が得られる。
【発明を実施するための最良の形態】
【００２０】
この発明に係る照明灯看板によれば、案内板や店舗看板等に於いて、看板と照明灯設置体とを分離可能な構造とし、照明灯に乱反射板を設けて成る省エネルギー効果を有する照明灯付看板に関するものである。
【実施例１】
【００２１】
図１〜４に於いて、この発明に係る照明灯付看板の実施例を説明する。この発明の照明灯付看板は、アクリル樹脂製照明灯付看板１０とアクリル樹脂製枠形照明灯設置枠体３０とから成る。
【００２２】
図１に示す通り、所望長さ、高さ及び奥行を有する該照明灯付看板１０は、所望長さ及び高さを有するアクリル樹脂製看板表面板１２ｂの上下端及び両端で奥行方向に形成された長方形枠１０ｂを有する箱形体１０ａとする。
【００２３】
該アクリル樹脂製看板表面板１２ｂの該長方形枠１０ｂに対応する箇所に上端部１２ｃを有する上部看板曲面背面板１２ａと、下端部１２ｄを有する下部看板曲面板１２ｂと、該上部看板曲面背面板１２ａ及び該下部看板曲面背面板１２ｂとの中間部に水平に形成された照明灯嵌合透明湾曲面１２ｅとを有する看板曲面背面板１２を該箱形体１０ａに一体に設けて袋状看板１０とする。
【００２４】
図１、３に示す通り、該照明灯嵌合透明湾曲面１２ｅは、緩い湾曲面とし、該看板曲面背面板１２の該上端部１２ｃの両端近くにそれぞれ上部凸形レール１４、１４を、該下部看板曲面板１２ｂの下端近くにそれと平行に下部凸形レール１６を一体に設ける。
【００２５】
図２、３に於いて、該袋状看板１０に対応する長さ、高さ及び奥行に対応する枠形照明灯設置枠体３０の上端部で、該上端部１２ｃに対応する箇所に上部凹形レール３２を設け、該枠形照明灯設置枠体３０で該照明灯４０に対応する箇所に照明灯４０を設け、同じく該枠形照明灯設置枠体３０で該下部凸形レール１６に対応する箇所に下部凹形レール３８を一体に設ける。
【００２６】
該枠形照明灯設置枠体３０の該照明灯４０の後部に反射塗料を塗布した乱反射板４２を設ける。
【００２７】
図２、３に示す通り、該照明灯付看板１０は、所望長さ、高さ及び奥行を有する枠形照明灯設置体３０を設け、該枠形照明灯設置体３０の両枠３４、３４を設け、該両枠３４、３４の後面３４ａ、３４ａで所望の躯体（図示せず）に水平に設けられるレール４４、４４を嵌合させる凹部３４ｂ、３４ｂを形成し、該凹部３４ｂ、３４ｂ内に取付板３４ｃ、３４ｃを遊嵌する。
【００２８】
図１〜３に示す通り、袋状看板を有する照明灯付看板１０は、看板背面側上端部１２ｃを有する上部看板曲面背面板１２ａ、下部看板曲面背面板１２ｂ及びこれらの背面ほぼ中間部に水平に形成された照明灯嵌合透明湾曲面１２ｅを有し、後述の蛍光灯等の照明灯４０の光を透過可能とする。
【００２９】
該袋状看板１０の長さ、高さ及び奥行を有し、該照明灯嵌合溝１２ｅに対応する箇所に乱反射板４２と該照明灯４０とを設けて枠形照明灯設置枠体３０とする。
【００３０】
該乱反射板４２は、該照明灯４０の光を集光と反射させる効果を有するが、該乱反射板４２をなめらかでない表面として種々の方向に光を乱反射させる構成とする。
【実施例２】
【００３１】
図５は、照明灯付看板１０を改良した実施例である。この実施例に於いては、２個の照明灯を使用して更に照明効果を上げ、外部から見た際の均一な照明効果を得て宣伝効果を上げ、照明灯を必要最低限とし、該照明灯４０に該乱反射板４２を設けて照明効果を上げた照明灯付看板が得られる。
【図面の簡単な説明】
【００３２】
【図１】は、この発明に係る照明灯付看板の実施例を斜め後方から見た斜視図である。
【図２】は、図１に示す照明灯付看板に組込まれる照明灯設置体の背面斜視図である。
【図３】は、図１に示す照明灯付看板を図２に示す照明灯設置体に取付ける状態を示す分解斜視図である。
【図４】は、照明灯が発する光が如何にして図１に示す照明灯付看板の中を通過するかを示す図１及び図２のＩＶ−ＩＶ線断面図である。
【図５】は、図１に示す照明灯付看板の他の実施例を示す図１及び図２のＶ−Ｖ線断面図である。
【符号の説明】
【００３３】
１０      袋状看板
１０ａ      箱形体
１０ｂ      長方形枠
１０ｃ      看板表面板
１２      看板曲面背面板
１２ａ      上部看板曲面背面板
１２ｂ      下部看板曲面背面板
１２ｃ      上端部
１２ｄ      下端部
１２ｅ      照明灯嵌合透明湾曲面
１４      上部凸形レール
１６      下部凸形レール
３０      枠形照明灯設置枠体
３２      上部凹形レール
３４      両枠
３４ａ      後面
３４ｂ      凹部
３４ｃ      取付板
４０      照明灯
４２      乱反射板
４４      レール。
【図１】
2007298903.tif 000003
【図２】
2007298903.tif 000004
【図３】
2007298903.tif 000005
【図４】
2007298903.tif 000006
【図５】
2007298903.tif 000007